(57)【要約】      （修正有）【課題】多くのタイプのクラブヘッドにおいて重量調整を可能にする。【解決手段】本考案の重量調整が可能なゴルフクラブヘッド１は、クラブヘッド１にスライド溝１１を設け、そのスライド溝１１の中に重り２をそのスライド溝の長さ方向に移動自在に挿入し、その重りをスライド溝１１に対して任意の位置で固定する手段を備えてなっている。【選択図】図１
0003109501.tif 000002
【実用新案登録請求の範囲】
【請求項１】
クラブヘッドにスライド溝を設け、そのスライド溝の中に重りをそのスライド溝の長さ方向に移動自在に挿入し、その重りを前記スライド溝に対して任意の位置で固定する手段を備えてなる重量調整が可能なゴルフクラブヘッド。
【請求項２】
スライド溝は、クラブヘッドの底面に弧線に沿って設けられ、逆凸字型の断面形状を有して、その頂部は案内溝とされ、その底部は外に向かって拡開するテーバー状の溝口を有し、前記スライド溝には前記案内溝に連通する重り挿入口が設けられていることを特徴とする請求項１に記載の重量調整が可能なゴルフクラブヘッド。
【請求項３】
重りは、円筒状のスライダ、プラグ及び重り環から構成され、
前記スライダは、その頂部の内周と外周にそれぞれ逆錘形の受圧面を形成する内突起と定位置環が設けられ、前記定位置環は前記案内溝内に落下してその案内溝に沿ってスライドすることができるものであり、
前記スライダには雌ねじが設けられ、前記プラグには前記スライダの雌ねじに螺合し得る雄ねじが設けられ、
前記プラグには、これを回転して前記雄ねじを前記スライダの雌ねじにねじ込み又はねじ出すための工具係合用フランジが設けてあり、
プラグの長さをスライダよりもやや長くし、前記プラグ底部のフランジが前記スライダの底面を圧迫したとき前記プラグの頂部が前記スライダの頂部から突出して前記スライド溝の案内溝を押圧して前記重りを固定する重り固定手段を構成することを特徴とする請求項１に記載の重量調整が可能なゴルフクラブヘッド。
【請求項４】
スライド溝の内部に二つ又は三つの重りを取り付けたことを特徴とする請求項１、２又は３に記載された重量調整が可能なゴルフクラブヘッド。
【考案の詳細な説明】
【技術分野】
【０００１】
本考案は、重りの固定位置を変えることにより、重量調整が可能なゴルフクラブヘッドに関する。
【背景技術】
【０００２】
ここ数年来、ゴルフクラブヘッドの製造技術がますます進歩することに伴い、製品の形体及び仕様もますます多様化されている。しかし、その形体及び仕様がいかに多様化されても、使用者は自分の打球が正確でかつ飛距離が伸び、きるだけ少ないショット数でピンに近寄れることを希望している。しかし、ゴルフボールを正確かつ遠くへ飛ばすには、打球時のクラブヘッドの速度、スイングの軌道及び打球点の掌握等、テクニックを頼りにしなければならない。ところが、それらスイングのテクニックは一朝一夕でできあげるものではなく、かつ各人の違ったスイングの姿勢及び慣習に制限され、クラブヘッドの重心は終始固定された位置に保持されているので、名プレーヤでなければ少しの偏差があるとボールの飛行方向は往々にして目標から離れ、着地も大きく外れてしまう。
【特許文献１】特になし。
【考案の開示】
【考案が解決しようとする課題】
【０００３】
そのために、業界はこの現象に対して使用者のスイング姿勢及び慣習によって重心を変えることができると称する多くのクラブヘッドを開発している。ところが、それらクラブヘッドの構造設計は固定式の重りを採用し、それは予め設けられた複数個のスポット内に組み込んで重心の位置を変えてやり、又は一定のスポット内に重りを入れ替えて、重心を調整するだけで目的を達成しようとするに過ぎない。
【０００４】
しかし、それら構造設計の重心の調整に供される位置及び弾道の選択はともに限度があり、全面的に各種程度の違う使用者に適用することができない。また、重心の位置を調整又は変える場合はその重りを取り出さなければならず、重心点が選定され、又は重りが交換されてから再びそれを取り付けるので、使用上はきわめて不便であり、更に前の打球の着地に対応してクラブヘッドの重心を任意に調整することができないので、明らかに改善するべき余地があると言える。
【０００５】
本考案は、上記の点に鑑みてなされたものであり、その解決しようとする課題は、任意に重りの位置を変えることができ、使用者の打球姿勢及び慣習によって自分でクラブヘッドの重心位置を調整することができ、多くの弾道選択ができる重量調整が可能なゴルフクラブヘッドを提供することにある。特に多くのタイプのクラブヘッドにおいて重量調整を可能にすることにある。
【課題を解決するための手段】
【０００６】
上記課題を解決するため、本考案に係る重量調整が可能なゴルフクラブヘッドは、クラブヘッドにスライド溝を設け、そのスライド溝の中に重りをそのスライド溝の長さ方向に移動自在に挿入し、その重りを前記スライド溝に対して任意の位置で固定する手段を備えてなることを特徴としている（請求項１）。
【０００７】
スライド溝は、クラブヘッドの底面に弧線に沿って設けられ、逆凸字型の断面形状を有して、その頂部は案内溝とされ、その底部は外に向かって拡開するテーバー状の溝口を有し、前記スライド溝には前記案内溝に連通する重り挿入口が設けられていることを特徴としている（請求項２）。
【０００８】
また、重りは、円筒状のスライダ、プラグ及び重り環から構成され、前記スライダは、その頂部の内周と外周にそれぞれ逆錘形の受圧面を形成する内突起と定位置環が設けられ、前記定位置環は前記案内溝内に落下してその案内溝に沿ってスライドすることができるものであり、前記スライダには雌ねじが設けられ、前記プラグには前記スライダの雌ねじに螺合し得る雄ねじが設けられ、前記プラグには、これを回転して前記雄ねじを前記スライダの雌ねじにねじ込み又はねじ出すための工具係合用フランジが設けてあり、プラグの長さをスライダよりもやや長くし、前記プラグ底部のフランジが前記スライダの底面を圧迫したとき前記プラグの頂部が前記スライダの頂部から突出して前記スライド溝の案内溝を押圧して前記重りを固定する重り固定手段を構成することを特徴としている（請求項３）。
【考案の効果】
【０００９】
請求項１の考案によれば、重りをスライド溝に沿って移動し、再び固定することができるから、使用者の打球姿勢及び慣習によって自分で重りの位置を変更し、又は重りを交換して、重心の位置を調整することにより、多くの弾道選択ができる。
【００１０】
請求項２の考案によれば、スライド溝は、クラブヘッドの底面に弧線に沿って設けられ、逆凸字型の断面形状を有して、その頂部は案内溝とされ、その底部は外に向かって拡開するテーバー状の溝口を有し、前記スライド溝には前記案内溝に連通する重り挿入口が設けられているから、重りをクラブヘッドに容易に備えることができる。
【００１１】
また、請求項３の考案によれば、重りは円筒状のスライダ、プラグ及び重り環から構成され、前記スライダはその頂部の内周と外周にそれぞれ逆錘形の受圧面を形成する内突起と定位置環が設けられ、前記定位置環は前記案内溝内に落下してその案内溝に沿ってスライドすることができるものであり、前記スライダには雌ねじが設けられ、前記プラグには前記スライダの雌ねじに螺合し得る雄ねじが設けられ、前記プラグには、これを回転して前記雄ねじを前記スライダの雌ねじにねじ込み又はねじ出すための工具係合用フランジが設けてあり、プラグの長さをスライダよりもやや長くし、前記プラグ底部のフランジが前記スライダの底面を圧迫したとき前記プラグの頂部が前記スライダの頂部から突出して前記スライド溝の案内溝を押圧して前記重りを固定する重り固定手段を構成するので、重りをクラブヘッドに容易に備え、所望の位置に移動して、容易かつ確実に固定することができる。
【考案を実施するための最良の形態】
【００１２】
続いて、本考案の実施の形態について、図面を参照して説明する。
図１及び図２に示すように、本考案に係るゴルフクラブヘッド１は、その底面に設けられたスライド溝１１を有し、そのスライド溝１１の中に重り２が挿入して固定されている。
スライド溝１１は、クラブヘッド１の底面に弧線に沿って湾曲したＥ字形に連続するように形成されていて、その頂部に外径のやや大きい案内溝１１１を有し、その底部から外へ拡大するテーパー状の溝口１１２が形成されて、更に、スライド溝１１の三方分岐点に案内溝１１１に連通する重り挿入口１１３が予め設けられている。その重り挿入口１１３の孔径は重り２の最大径より少々大きいので、重り２は重り挿入口１１３から挿入することができ、かつ挿入された後はスライド溝１１内を任意の位置までスライドすることができる。
【００１３】
重り２は、スライダ２１、プラグ２２及び重り環２３から構成されている（図１、４参照）。スライダ２１は中空円筒状に形成され、その頂部の内周と外周にはそれぞれ逆錘形の内突起２１１と定位置環２１２が設けられている。内突起２１１の底部は、スライダの内壁から上方中心に向けて斜めに縮小されて逆錘形の受圧面が形成されている。定位置環２１２は概してスライド溝１１の頂部の案内溝１１１と同サイズで、それは重り挿入口１１３から垂直に挿入することができ、定位置環２１２は案内溝１１１内に落下してスライドすることができるが、脱出できないようになっている。
【００１４】
また、スライダ２１の外周中央近くには当て２１３が設けられ、その当て２１３はスライド溝１１と同サイズであるため、それがスライダ２１からスライド溝１１内に挿入されると、当て２１３の外周はスライド溝１１の底部溝内に嵌合し、スライダ２１を定位置に止める作用をする。定位置環２１２は案内溝１１１に沿ってスムーズにスライドし、偏移や挟まることを防止する。また、定位置環２１２とスライド溝１１の周縁にはともに数本の縦辺が削られ、それら縦辺の角は案内溝１１１とスライド溝１１の底部溝口の内縁に当て付けてスライダ２１の動きを防ぐことができる。
【００１５】
次に、定位置環２１２のスライダ表面には数本の隙溝２１４が設けられ、それら隙溝２１４はスライダ２１の頂面から延出する。そのために、定位置環２１２は適当な支持力及び弾性回復力を有する。また、スライダ２１の中空部の内壁面には雌ねじ２１５が設けられて、プラグ２２との螺合に供される。
【００１６】
プラグ２２は、スライダ２１よりやや長いねじ棒で、その下半部には適当な長さの雄ねじ部２２１が設けてあり、かつ底部には一例として円形のフランジ２２２が設けられている。そのフランジ２２２はスライダ２１よりやや大きな外径があり、かつその周縁に沿って複数個の挿し口２２３が設けられている。挿し口２２３は、これに合致する工具を挿入することに供され、それによってスライダ２１の底部にねじ込み又はねじ出すことができる。
【００１７】
また、プラグ２２の頂部にはテーパー部２２４が設けられ、そのテーパー部２２４はスライダ２１の内周に設けられている内突起２１１の底面テーパーによって受けられ、そのためにプラグ２２がスライダ２１の内部の一定深さにねじ込まれると、テーパー部２２４の頂部は先に内突起２１１底部の逆錘状受圧面に接触し、プラグ２２が継続して回されることにより、テーパー部２２４は受圧面を押し上げて内突起２１１及び定位置環２１２は各隙溝２１４の両側から外へ張り出し、定位置環２１２の周縁は案内溝１１１の内面に突き当たって、スライダ２１を定位置に止める位置決め作用を行う
【００１８】
フランジ２２２がスライダ２１の底面を圧迫し、更に回せなくなると、そのフランジ２２２はちょうど完全にスライド溝１１底部のテーパー状溝口１１２内に入り、かつテーパー部２２４はスライダ２１の頂部から突出し、並びに案内溝１１１の頂面を押し付け、重り２をスライド溝１１内に確実に組み込み、クラブヘッド１の重心位置を決めることができる。また、クラブヘッド１の重りの位置を変え、又は重心を調整する場合は、プラグ２２を回せば、内突起２１１及び定位置環２１２はテーパー部２２４の圧迫から解放され、かつ各隙溝２１４の弾性回復力を利用して案内溝１１１の内面間に緩みが生じるので、スムーズに重りの位置を変更して重心を調整し、再びプラグ２２を反対方向に回して固定することができる。
【００１９】
重り環２３は、スライダ２１の外周に取り付けられ、かつプラグ２２の底部のフランジ２２２に伴ってスライダ２１の底面を圧迫し、当て２１３とフランジ２２２の間に挟んで固定され、それによってクラブヘッド１に対して重りとして作用する。また、その重り環２３は多くのタイプ、サイズ及び違った密度の材料によって製造されるので、使用者個人のニーズに合わせて任意に入れ替えることができる。
【００２０】
〔使用方法〕
本考案のゴルフクラブを使用するには、使用者がスイングして打球した後、ボールの飛行角度及び着地点によってクラブヘッド１の重心の偏移を検討して調整を行う。調整を実施する場合は、プラグ２２をスライダ２１から回して出し、定位置環２１２の隙溝２１４の両側の弾性を利用して案内溝１１１の内面に緩みを生じさせると、スライダ２１を調整したい位置へ移動することができるので、重りの位置を変えて個人のスイング姿勢及び慣習に適合する重心位置を定める。調整が完了すれば、プラグ２２を再びスライダ２１の底面に当て付けて重心位置を固定することができる。これにより、再度のスイング打球の使用に供することができる。この他、重心を調整すると同時に重り環２３を取り出して交換し、重りの重さを変えることにより、重心の調整と合わせて多数の弾道選択ができる。
【００２１】
本考案は、クラブヘッド１の裏面下側にスライド溝１１を設け、その中に重り２を挿入し、かつその重り２はスライダ２１、プラグ２２及び重り環２３から構成された構造により、スライダ２１を利用してスライド溝１１に沿って移動することができ、並びにプラグ２２をもってそれを圧迫固定し、クラブヘッド１の重心位置を任意に変えることができるから、使用者は個人のスイング姿勢及び慣習によって自分で重心位置を調整することができる。
【００２２】
その調整をする場合は、プラグ２２を回すだけで、スライダ２１を取り出す必要がないから、使用上極めて簡単便利である。更に本考案の重り環２３は違ったタイプ、サイズ及び重さに作ることができ、かつ重りの位置を変える時についでに交換することができるので、数多くの弾道を選択することができる。これらは本考案の使用上の値打ちを更に際立たせる。
【００２３】
更に、図５及び図６に示すように、本考案は、上記第一実施例であるドライバーヘッド１の他に、アイアンヘッド１Ａ（図５参照）及びパターヘッド１Ｂ（図６参照）にも適用することができる。この二つの図面を見て明らかなように、それは同じくアイアンヘッド１Ａ、パターヘッド１Ｂの裏面下側にスライド溝１Ａ１、１Ｂ１が設けられ、かつそのスライド溝１Ａ１、１Ｂ１もクラブヘッド１Ａ、１Ｂの底面の弧線に沿って設けられ、その前端に口径のやや大きい案内溝１Ａ１１、１Ｂ１１を形成し、後端は外へ拡張してテーパー状の溝口１Ａ１２、１Ｂ１２が形成され、更にスライド溝１Ａ１、１Ｂ１の適当位置に案内溝１Ａ１１、１Ｂ１１に連通する重り挿入口１Ａ１３、１Ｂ１３が設けられ、重り２Ａ、２Ｂは重り挿入口１Ａ１３、１Ｂ１３から挿入することができ、かつ挿入した後はスライド溝１Ａ１、１Ｂ１内に移し、任意にスライド移動することができる。また、重り２Ａ、２Ｂは同じくスライダ、プラグ及び重り環から構成されていて（図面には一部のみ図示）、上記実施例と全く同様な方法で使用でき、同様な効果を達成することができる。
【００２４】
この他、本考案の各実施例は、実際の需要によってスライド溝１１、１Ａ１、１Ｂ１内に二つ又は三つの重り２、２Ａ、２Ｂを挿入してもよく、かつその他も類似し、単純に数量上の増減、又は構造上の簡単な改変によって同じ目的効果を達成することができ、それらはすべて本考案の技術的範囲に属するものである。
【図面の簡単な説明】
【００２５】
【図１】本考案の一実施例に係るクラブヘッドの分解斜視図。
【図２】同クラブヘッドの断面図。
【図３】図２のＡ- Ａ線に沿った拡大図。
【図４】重りとスライド溝間の組み合わせ完了後の拡大図。
【図５】本考案の別の実施例を裏から見た平面図。
【図６】本考案の更に一つの実施例を裏から見た平面図。
【符号の説明】
【００２６】
１      クラブヘット
１２      スライド溝
１１１    案内溝
１１３    挿入口
２      重り  
２１      スライダ
２２      プラグ
２３      重り環
【図１】
0003109501.tif 000003
【図２】
0003109501.tif 000004
【図３】
0003109501.tif 000005
【図４】
0003109501.tif 000006
【図５】
0003109501.tif 000007
【図６】
0003109501.tif 000008